(57)【要約】      （修正有）【課題】未使用時にコンパクトにしまうことができて製造コストを抑えることができる自動車用目隠しを提供する。【解決手段】繊維生地１の少なくとも上側部１ａの左右に雄面テープ２を備える。更に、繊維生地１は上端部に折返部４を設け、雄面テープ２は、テープ布２ｂの表面側に雄係止部２ａを設け、裏面側を折返部４の少なくとも左右に重ね、折返部４と一緒に縫製してあることを特徴として自動車用目隠しを構成する。【選択図】図１
0003157038.tif 000002
【実用新案登録請求の範囲】
【請求項１】
繊維生地の少なくとも上側部の左右に雄面テープを備えていることを特徴とする自動車用目隠し。
【請求項２】
繊維生地は上側部に折返部を設け、雄面テープは、テープ布の表面側に雄係止部を設け、裏面側を折返部の少なくとも左右に重ね、折返部と一緒に縫製してあることを特徴とする請求項１記載の自動車用目隠し。
【請求項３】
雄面テープの表面側に雌面テープを着脱自在に貼着しており、雌面テープは、テープ布の表面側に雄係止部と係脱可能となる雌係止部を設け、裏面側に粘着層を備え、概粘着層を剥離紙で覆うものであり、剥離紙を取外して粘着層を車内の任意位置に着接し得るようにしたことを特徴とする請求項１又は２記載の自動車用目隠し。
【考案の詳細な説明】
【技術分野】
【０００１】
本考案は、自動車の車内に取り付ける自動車用目隠しに関するものである。
【背景技術】
【０００２】
土日、祝祭日における高速道路の料金軽減化等により、家族や友人とのドライブが増加している。ドライブに行く機会が増えることに伴って宿泊費を節約するために、ドライブインや公園等で車中泊をする傾向にある。このように車中泊をする場合、プライバシーを守ることが望ましい。その一手段として、日除ネットを吸盤で窓ガラスに吸着させたり、特許文献１の如く車内にカーテンを取付ける等している。
【先行技術文献】
【特許文献】
【０００３】
【特許文献１】実用新案登録第３０８２６２４号公報
【考案の概要】
【考案が解決しようとする課題】
【０００４】
自動車の室内は、起毛状態の内装材が取付けられていることが多い。この内装材の起毛部分は、雌面テープ（商標名、マジックテープ）に近似しており、ここに、雄面テープを取付けるものが実用新案登録第３０８２６２４号公報に開示される。この手段では、雄面テープをカーテン幅の全幅にわたって取付けているため、取外して折り畳んだり巻付けたりする際、或は、商品を包装する際等に、カーテンを折り畳みや巻付けがしにくく、しかも雄面テープをカーテン幅の全幅にわたって使用するため、製造者コストも増大する。更に、雄面テープの取付面を広くすると、その着脱に伴って自動車内装材を老化させる懸念もあった。
本考案は、上記課題を鑑みてなされたものであり、車内に簡単に取付けて、車内を隠蔽してプライバシーを守ることができるは勿論、未使用時にはコンパクトにしまうことができて、しかも、製造コストを抑えることができる自動車用目隠しを提供することにある。
【課題を解決するための手段】
【０００５】
本考案のうち請求項１記載の考案は、繊維生地の少なくとも上側部の左右に雄面テープを備えていることを特徴とする。
ここで繊維生地とは、織物生地、編み物生地（レース地を含む）、天然繊維生地、合成繊維生地、それらの混合繊維生地等、あらゆる生地を言う。
【０００６】
請求項２記載の考案は、繊維生地は上側部に折返部を設け、雄面テープは、テープ布の表面側に雄係止部を設け、裏面側を折返部の少なくとも左右に重ね、折返部と一緒に縫製してあることを特徴とする。
【０００７】
請求項３記載の考案は、雄面テープの表面側に雌面テープを着脱自在に貼着しており、雌面テープは、テープ布の表面側に雄係止部と係脱可能となる雌係止部を設け、裏面側に粘着層を備え、概粘着層を剥離紙で覆うものであり、剥離紙を取外して粘着層を車内の任意位置に着接し得るようにしたことを特徴とする。
ここで雄面テープ及び雌面テープとは、メカニカルファスナーを言う。
【考案の効果】
【０００８】
本考案の自動車用目隠しは上記の通りであるから、次に記載する効果を発揮する。
請求項１及び２記載の自動車用目隠しによれば、車中泊してり、車内で一時休憩する際に、車内を簡単に隠蔽してプライバシーの保護が図れるの勿論、雄面テープが繊維生地の上側部の少なくとも左右に点在していることで、車内から取外して折畳んだり巻付ける際に雄面テープが邪魔にならず、軽快にコンパクトにしまう事ができる。また、雄面テープの使用が少なくできるので、製造者コストの削減にも寄与できる。更に、雄面テープによる取付面積が小さいことから、カーテンの着脱が簡単にできるとともに、これに伴ってカーテンの着脱による自動車内装材（起毛状内装材）への負担が小さくなり、自動車を大事に扱う愛車意識の強いユーザーであっても安心してカーテンを使用できるようになる。
更に、本考案の自動車用目隠しを車内に取付けることにより、車内温度の上昇を抑えることができる。
【０００９】
請求項３記載の自動車用目隠しによれば、雌面テープを備えているので、この剥離紙を剥がして粘着層を露出し、粘着層を車内の非起毛内装材（合成樹脂材や金属材で形成さている窓ガラスや窓枠、或は内装継目等）に着接することで、雌面テープに自動車用目隠しの雄面テープを取付けることができる。このことにより、自動車の車内の様々な箇所に自動車用目隠しを取付けることができるようになる。
【図面の簡単な説明】
【００１０】
【図１】（ａ）は、本考案の第一実施例による自動車用目隠しの正面図であり、（ｂ）は雄面テープの取付け例を示す要部拡大縦断面図、（ｃ）は、起毛状内装材への取付け状態を示す一部拡大縦断面図である。
【図２】（ａ）は、本考案の第二実施例による自動車用目隠しの要部拡大縦断面図であり、（ｂ）は、非起毛状内装材への取付け状態を示す一部拡大縦断面図である。
【考案を実施するための形態】
【００１１】
以下に、本案による自動車用目隠しの第一実施例を図１に基づいて説明すると、自動車用目隠しは図１（ａ）のように、ほぼ横長の矩形状繊維生地１と、該生地上側部１ａの左右端部に装着する雄面テープ２とからなっている。
【００１２】
繊維生地１には薄手生地（レース地を含む）や厚手生地等が用いられており、自動車の車外から車内に射し込む太陽光の遮断や、車外からの視線を遮って車内のプライバシーの保護が図れるようになっている。また、繊維生地１の上端部を折返し、その折返し部４を上側部１ａとし、折返しによる肉厚が生まれ、補強がなされている。
この折返し部４は、全長にわたり糸７でかがり縫い７ａされていると共に、その下端部が糸７で端部縫い７ｃされ、更に、中間部も糸７で中間部縫い７ｂしてある。
繊維生地１の左右両側部１ｂと下端部１ｃは、超音波加工やヒートカット等によって一直線上にカットされたり、滑らかな波形状にカットされている。
尚、繊維生地１については、防水加工や消臭加工、ＵＶカット、防炎加工等を施した生地を使用してもよく、最低限プライバシーを保護できるものであればよい。また、繊維生地１の左右両側部１ｂと下端部１ｃの少なくとも一方に、装飾的なレース生地を縫製してもよい。
【００１３】
繊維生地１に取付ける雄面テープ２は、図１（ｂ）（ｃ）のように、フラットなテープ布２ｂの一面側に雄係止部２ａを形成している。この雄面テープ２を上述した繊維生地１の上側部１ａの左右に取付ける場合、雄面テープ２の他面側を繊維生地１の折返し部４に重ね、折返し部４をかがり縫い７ａする際に一緒に縫製すると共に、少なくとも中間部縫い７ｂする際にも一緒に縫製し、繊維生地１にしっかりと取付ける。
本案の自動車用目隠しを取付ける場合、繊維生地１の折返し部４に取付けた雄面テープ２の雄係止部２ａを、自動車内装面５の内、起毛状内装面５ａに向けて押付ければ、雄係止部２ａは起毛状内装面５ａに係止して離脱困難とり、即ち、本案の自動車用目隠しの取付けが完了し、車内を外部から隠蔽する。
車内の遮蔽が不要になった際、繊維生地１の折返し部４の左右端部を室内側に向けて引き剥がすと、雄係止部２ａと起毛状内装面５ａの係止が離反し、本案の自動車用目隠しの取外しが完了する。取外した本案の自動車用目隠しは、折り畳んだり巻き付けて保管することで、繰り返して使用することができる。
【００１４】
次に、本案による自動車用目隠しの第二実施例を、第一実施例と相違する点について説明すると、第二実施例の自動車用目隠しは図２の如く繊維生地１の上側部１ａの左右に取付けた雄面テープ２に対応して雌面テープ６を着接するものである。
雌面テープ６は、図２（ａ）のように、テープ布６ｃの一面側に雄面テープ２の雄係止部２ａと係脱自在となる雌係止部６ａを備え、他面側に剥離紙８で保護された粘着層６ｂを備えるものである。
第二実施例の自動車用目隠しを車内に取付ける場合、先ず繊維生地１の雄面テープ２に係合している雌面テープ６を離反し、離反した雌面テープ６より剥離紙８を取外して粘着層６ｂを露出し、その粘着層６ｂを自動車内装面５の内、非起毛状内装面５ｂのカーテン取付け位置に押付け、雌面テープ６を車内の数箇所に着接する。次いで、車内に取付けた雌面テープ６に向けて繊維生地１の雄面テープ２を係合し、自動車用目隠しの取付けを完了する。
第二実施例の自動車用目隠しの取付けにおいて、繊維生地１の雄面テープ２に係合している雌面テープ６より剥離紙８を取外して粘着層６ｂを露出し、その粘着層６ｂを非起毛状内装面５ｂに直接着接しても取付け得る。
非起毛状内装面５ｂとしては、雄面テープ２を直接係止することのできない樹脂部材、金属材の車内に露出部に取付ける。具体的には、車内における窓ガラスや窓枠等の樹脂パーツ、或は金属パーツ、木質パネル等の非起毛状内装面５ｂに取付ける。
即ち、雌面テープ６をセットしておくことで、起毛状内装面５ａの少ない自動車の車内においても本考案の自動車用目隠しを装着できるようになる。
【００１５】
本考案の自動車用目隠しは、自動車の車内における装着箇所によって形状や大きさは自由に変更できる。例えば、フロントガラスやリアガラスに装着するもの、或は、車内をフロントシートとリアシート（前後）で仕切るパーテーションとして使用するもの等。
仕切用の自動車用目隠しは、繊維生地１の全長が長くなるため、繊維生地上側部１ａの左右端部に雄面テープ２を取付ける以外に、上側部１ａの中間部に１〜３箇所増やすこともできる。更に、雄面テープ２のみを備えた自動車用目隠しと、雌面テープ６を貼着した後、雄面テープ２で装着する自動車用目隠しを組み合わせることもできる。
【符号の説明】
【００１６】
１  繊維生地、１ａ  上側部、１ｂ  両側部、１ｃ  下端部
２  雄面テープ、２ａ  雄係止部、２ｂ  テープ布
4  折返し部
5  内装面、５ａ  起毛状内装面、５ｂ  非起毛状内装面
６  雌面テープ、６ａ  雌係止部、６ｂ  粘着層、６ｃ  テープ布
７  糸、7ａ  かがり縫い、７ｂ  端部縫い、７ｃ  中間部縫い
８  剥離紙
【図１】
0003157038.tif 000003
【図２】
0003157038.tif 000004